(57)【要約】【課題】反射表示時における表示画面の輝度の向上を図ることのできる液晶装置を提供する。【解決手段】液晶装置は、液晶表示パネルと照明装置から構成される。液晶表示パネルは、１つの表示画素が、ＲＧＢ、及び、Ｗ（透明または白色）の４つのサブ画素より構成される。照明装置は、光源、光源を端面に備える導光板、及び、導光板の反射面側に設置された反射シートより構成され、液晶表示パネルを、光を透過させることにより照明する。液晶表示パネルは、反射表示時において前記Ｗのサブ画素を光が透過する透過状態にする。このようにすることで、反射表示時における表示画面の輝度向上を図ることができる。【選択図】図２
2008122834.tif 000002
【特許請求の範囲】
【請求項１】
１つの表示画素が、ＲＧＢ、及び、Ｗ（透明または白色）の４つのサブ画素より構成される液晶表示パネルと、
光源、前記光源を端面に備える導光板、及び、前記導光板の前記液晶表示パネル側とは反対側の面に設置された反射シートより構成され、前記液晶表示パネルを照明する照明装置と、を備え、
前記液晶表示パネルは、反射表示時において前記Ｗのサブ画素を光が透過する透過状態にすることを特徴とする液晶装置。
【請求項２】
前記液晶表示パネルは、透過表示時において前記Ｗのサブ画素を光が透過しない非透過状態にすることを特徴とする請求項１に記載の液晶装置。
【請求項３】
前記透過状態は、前記Ｗのサブ画素に入射された外光が前記液晶表示パネルを透過した後に前記反射シートによって反射され、該光が前記Ｗ（透明または白色）以外の色のサブ画素を透過して前記液晶表示パネルに対して前記照明装置が配置された側とは反対側に出射させる状態であることを特徴とする請求項１に記載の液晶装置。
【請求項４】
前記非透過状態は、前記Ｗのサブ画素において、前記照明装置から出射された光を遮光して、前記照明装置から出射された光を前記液晶表示パネルに対して前記照明装置が配置された側とは反対側に透過させない状態であることを特徴とする請求項２に記載の液晶装置。
【請求項５】
入力されたＲＧＢの画像信号より輝度信号を算出し、前記輝度信号を基にＷの画像信号を決定して、前記液晶表示パネルへ出力する表示画像変換部を更に備え、
前記液晶表示パネルは、透過表示時において前記Ｗのサブ画素の透過率を前記Ｗの画像信号を基に設定することを特徴とする請求項１に記載の液晶装置。
【請求項６】
請求項１乃至５のいずれか一項に記載の液晶装置を表示部に備えることを特徴とする電子機器。
【請求項７】
１つの表示画素が、ＲＧＢ、及び、Ｗ（透明または白色）の４つのサブ画素より構成される液晶表示パネルと、光源、前記光源を端面に備える導光板、及び、前記導光板の前記液晶表示パネル側とは反対側の面に設置された反射シートより構成され、前記液晶表示パネルを、光を透過させることにより照明する照明装置と、を有する液晶装置の駆動方法であって、
前記液晶表示パネルが反射表示時において前記Ｗのサブ画素を光が透過する透過状態にする工程を備えることを特徴とする液晶装置の駆動方法。
【発明の詳細な説明】
【技術分野】
【０００１】
本発明は、各種情報の表示に用いて好適な液晶装置に関する。
【背景技術】
【０００２】
一般的な液晶装置は、白色光を出光する照明装置と、赤（Ｒ）、緑（Ｇ）、青（Ｂ）の３色のカラーフィルタとによりカラー表示を行っている。このような液晶装置により表現可能な色再現範囲は、色度図上のＲＧＢの３色のカラーフィルタにより規定される色三角形の範囲内に限定される。液晶装置は、色再現性を向上させるために色再現範囲が広いもの、即ち、ＮＴＳＣ比が高いものが求められている。
【０００３】
また、最近では、特許文献１に示すように、１つの表示画素において、Ｒ、Ｇ、Ｂの３色に加え、更に透明（Ｗ）のサブ画素を加えた液晶装置が提案されている。
【０００４】
【特許文献１】特開２０００−３３０５２３号公報
【発明の開示】
【発明が解決しようとする課題】
【０００５】
しかしながら、ＮＴＳＣ比の高い液晶装置では、カラーフィルタの光の透過率が低くなるため、反射表示時には、表示画面の輝度が大幅に低下してしまう。そのため、観測者は表示画像を見づらくなるという問題が生じる。
【０００６】
本発明は上記の点に鑑みてなされたものであり、反射表示時における表示画面の輝度の向上を図ることのできる液晶装置を提供することを課題とする。
【課題を解決するための手段】
【０００７】
本発明の１つの観点では、液晶装置は、１つの表示画素が、ＲＧＢ、及び、Ｗ（透明または白色）の４つのサブ画素より構成される液晶表示パネルと、光源、前記光源を端面に備える導光板、及び、前記導光板の前記液晶表示パネル側とは反対側の面に設置された反射シートより構成され、前記液晶表示パネルを、光を透過させることにより照明する照明装置と、を備え、前記液晶表示パネルは、反射表示時において前記Ｗのサブ画素を光が透過する透過状態にする。
【０００８】
上記の液晶装置は、液晶表示パネルと照明装置から構成される。前記液晶表示パネルは、１つの表示画素が、ＲＧＢ、及び、Ｗ（透明または白色）の４つのサブ画素より構成される。前記照明装置は、光源、前記光源を端面に備える導光板、及び、前記導光板の前記液晶表示パネル側とは反対側の面に設置された反射シートより構成され、前記液晶表示パネルを、光を透過させることにより照明する。前記液晶表示パネルは、反射表示時において前記Ｗのサブ画素を光が透過する透過状態にする。このようにすることで、反射表示時における表示画面の輝度向上を図ることができる。
【０００９】
上記の液晶装置の他の一態様は、前記液晶表示パネルは、透過表示時において前記Ｗのサブ画素を光が透過しない非透過状態にする。このようにすることで、反射表示時における表示画面の輝度向上を図ることができると共に、透過表示時における表示画面に表示された画像の彩度・明度の低下を抑えることができる。また、透過表示時と反射表示時とで、Ｗのサブ画素を透過状態又は非透過状態に切り替える制御を行うだけでよいので、制御回路又は制御プログラムの構造を簡単にすることができる。
【００１０】
上記の液晶装置の好適な実施例は、前記透過状態は、前記Ｗのサブ画素に入射された外光が前記液晶表示パネルを透過した後に前記反射シートによって反射され、該光が前記Ｗ（透明または白色）以外の色のサブ画素を透過して前記液晶表示パネルに対して前記照明装置が配置された側とは反対側に出射させる状態である。
【００１１】
上記の液晶装置の好適な実施例は、前記非透過状態は、前記Ｗのサブ画素において、前記照明装置から出射された光を遮光して、前記照明装置から出射された光を前記液晶表示パネルに対して前記照明装置が配置された側とは反対側に透過させない状態である。
【００１２】
上記の液晶装置の他の一態様は、入力されたＲＧＢの画像信号より輝度信号を算出し、前記輝度信号を基にＷの画像信号を決定して、前記液晶表示パネルへ出力する表示画像変換部を更に備え、前記液晶表示パネルは、透過表示時において前記Ｗのサブ画素の透過率を前記Ｗの画像信号を基に設定する。このようにすることで、前記液晶表示パネルは、透過表示時において、Ｗのサブ画素における液晶層の階調、即ち、Ｗのサブ画素の透過率を入力画像に合わせて調整することができ、出力画像を入力画像に合わせた適切な輝度で表示することができる。
【００１３】
本発明の他の観点では、上記の液晶装置を表示部に備えることを特徴とする電子機器を構成することができる。
【００１４】
本発明の更なる他の観点では、１つの表示画素が、ＲＧＢ、及び、Ｗ（透明または白色）の４つのサブ画素より構成される液晶表示パネルと、光源、前記光源を端面に備える導光板、及び、前記導光板の前記液晶表示パネル側とは反対側に設置された反射シートより構成され、前記液晶表示パネルを、光を透過させることにより照明する照明装置と、を有する液晶装置の駆動方法は、前記液晶表示パネルが反射表示時において前記Ｗのサブ画素を光が透過する透過状態にする工程を備える。この液晶装置の駆動方法によっても、反射表示時における表示画面の輝度向上を図ることができる。
【発明を実施するための最良の形態】
【００１５】
以下、図面を参照して本発明を実施するための最良の形態について説明する。
【００１６】
［第１実施形態］
まず、図１及び図２を参照して、第１実施形態に係る液晶装置１００の構成について説明する。
【００１７】
図１は、第１実施形態に係る液晶装置１００の概略構成を模式的に示す平面図である。図１では、紙面手前側（観察側）にカラーフィルタ基板９２が、また、紙面奥側に素子基板９１が夫々配置されている。なお、図１では、紙面縦方向（列方向）をＹ方向と、また、紙面横方向（行方向）をＸ方向と規定する。また、図１において、Ｒ（赤）、Ｇ（緑）、Ｂ（青）、Ｗ（透明または白色）に対応する各領域は１つのサブ画素ＳＧを示していると共に、ＲＧＢＷに対応する１行４列のサブ画素ＳＧは、１つの表示画素ＡＧを示している。
【００１８】
図２は、液晶装置１００における切断線Ａ−Ａ´に沿った１つの表示画素ＡＧの拡大断面図である。図２に示すように、液晶装置１００は、液晶表示パネル３０と、照明装置１０より構成される。液晶表示パネル３０は、素子基板９１と、その素子基板９１に対向して配置されるカラーフィルタ基板９２とが枠状のシール材５を介して貼り合わされ、そのシール材５の内側に液晶が封入されて液晶層４が形成されてなる。液晶表示パネル３０の素子基板９１の外面上には、液晶表示パネル３０を照明する照明装置１０が備えられる。
【００１９】
第１実施形態に係る液晶装置１００は、ＲＧＢＷの４色を用いて構成されるカラー表示用の液晶装置であると共に、スイッチング素子として例えばα−Ｓｉ型ＴＦＴ（Thin Film Transistor）素子を用いたアクティブマトリクス駆動方式の液晶装置である。
【００２０】
素子基板９１の平面構成について説明する。素子基板９１の内面上には、主として、複数のソース線３２、複数のゲート線３３、複数のα−Ｓｉ型ＴＦＴ素子３７、複数の画素電極３４、ドライバＩＣ４０、外部接続用配線３５及びＦＰＣ（Flexible Printed Circuit）４１などが形成若しくは実装されている。
【００２１】
図１に示すように、素子基板９１は、カラーフィルタ基板９２の一辺側から外側へ張り出してなる張り出し領域３１を有しており、その張り出し領域３１上には、ドライバＩＣ４０が実装されている。ドライバＩＣ４０の入力側の端子（図示略）は、複数の外部接続用配線３５の一端側と電気的に接続されていると共に、複数の外部接続用配線３５の他端側はＦＰＣ４１と電気的に接続されている。各ソース線３２は、Ｙ方向に延在するように且つＸ方向に適宜の間隔をおいて形成されており、各ソース線３２の一端側は、ドライバＩＣ４０の出力側の端子（図示略）に電気的に接続されている。
【００２２】
各ゲート線３３は、Ｙ方向に延在するように形成された第１配線３３ａと、その第１配線３３ａの終端部からＸ方向に延在するように形成された第２配線３３ｂとを備えている。各ゲート線３３の第２配線３３ｂは、各ソース線３２と交差する方向、即ちＸ方向に延在するように且つＹ方向に適宜の間隔をおいて形成されており、各ゲート線３３の第１配線３３ａの一端側は、ドライバＩＣ４０の出力側の端子（図示略）に電気的に接続されている。各ソース線３２と各ゲート線３３の第２配線３３ｂの交差に対応する位置にはα−ＴＦＴ素子３７が設けられており、各α−ＴＦＴ素子３７は各ソース線３２、各ゲート線３３及び各画素電極３４等に電気的に接続されている。
【００２３】
各α−ＴＦＴ素子３７及び各画素電極３４は、ガラスなどの基板１上の各サブ画素ＳＧに対応する位置に設けられている。各画素電極３４は、例えばＩＴＯ（Indium-Tin Oxide）などの透明導電材料により形成されている。なお、ここで、スイッチング素子としては、α−ＴＦＴ素子３７を用いるとしているが、これに限られず、代わりにポリシリコンＴＦＴやＴＦＤ（Thin Film Diode）素子を用いるとすることもできる。
【００２４】
１つの表示画素ＡＧがＸ方向及びＹ方向に複数個、マトリクス状に並べられた領域が有効表示領域Ｖ（２点鎖線により囲まれる領域）である。この有効表示領域Ｖに、文字、数字、図形等の画像が表示される。つまり、この有効表示領域Ｖが、液晶装置１００における表示画面の領域を示している。なお、有効表示領域Ｖの外側の領域は表示に寄与しない額縁領域３８となっている。また、各ソース線３２、各ゲート線３３、各α−ＴＦＴ素子３７、及び各画素電極３４等の内面上には、図示しない配向膜が形成されている。
【００２５】
次に、カラーフィルタ基板９２の平面構成について説明する。図２に示すように、カラーフィルタ基板９２は、ガラスなどの基板２上に、遮光層（一般に「ブラックマトリクス」と呼ばれ、以下では、単に「ＢＭ」と略記する）、Ｒ、Ｇ、Ｂの着色層６Ｒ、６Ｇ、６Ｂと、Ｗの透明又は白色部６Ｗ及び共通電極８などを有する。なお、透明又は白色部６Ｗは、例えば透明樹脂によって形成された層、もしくは何も設けない層とされる。ＢＭは、各サブ画素ＳＧを区画する位置に形成されている。ここでは、各色のサブ画素ＳＧについて、対応する色をカッコ付きで示している。
【００２６】
なお、以下の説明もしくは図面において、ＲＧＢの色を特定することなく構成要素を示す場合には、単に「着色層６」のように記し、ＲＧＢの色を区別して構成要素を示す場合には、例えば「着色層６Ｒ」のように記すこととする。
【００２７】
この着色層６Ｒ、６Ｇ、６Ｂと、透明又は白色部６Ｗがカラーフィルタを構成する。共通電極８は、画素電極３４と同様にＩＴＯなどの透明導電材料からなり、カラーフィルタ基板９２の略一面に亘って形成されている。共通電極８は、シール材５の隅の領域Ｅ１において配線３６の一端側と電気的に接続されていると共に、当該配線３６の他端側は、ドライバＩＣ４０のＣＯＭに対応する出力端子と電気的に接続されている。
【００２８】
液晶装置１００では、電子機器のメイン基板等と接続されたＦＰＣ４１側からの信号及び電力等に基づき、ドライバＩＣ４０によって、Ｇ１、Ｇ２、・・・、Ｇｍ−１、Ｇｍ（ｍは自然数）の順にゲート線３３が順次排他的に１本ずつ選択されるとともに、選択されたゲート線３３には、選択電圧のゲート信号が供給される一方、他の非選択のゲート線３３には、非選択電圧のゲート信号が供給される。そして、ドライバＩＣ４０は、選択されたゲート線３３に対応する位置にある画素電極３４に対し、表示内容に応じたソース信号を、それぞれ対応するＳ１、Ｓ２、・・・、Ｓｎ−１、Ｓｎ（ｎは自然数）のソース線３２及びα−ＴＦＴ素子３７を介して供給する。その結果、液晶層４の配向状態が制御され、液晶装置１００の表示状態が、非表示状態または中間表示状態に切り替えられることとなる。
【００２９】
次に、照明装置１０について説明する。照明装置１０は、導光板１１と光源部１２と反射シート１４より構成される。光源部１２は、導光板１１の端面に設置されている。光源部１２は、光源として複数のＬＥＤ１３を有している。複数のＬＥＤ１３としては、青色ＬＥＤからの青色光でＹＡＧ（イットリウム・アルミニウム・ガーネット）系蛍光体を励起し、それによって白色光を照射するシングルチップ方式の白色ＬＥＤを配列したものを用いても良いし、又は、ＲＧＢの夫々の色のＬＥＤを揃えて同時に発光および混光することによって白色光を出光するマルチチップ方式のものを用いても良い。反射シート１４は、導光板１１の液晶表示パネル３０側とは反対側の面に設置されている。
【００３０】
次に、液晶装置１００において、透過表示、及び、反射表示が行われる場合について述べる。
【００３１】
まず、液晶装置１００において透過表示が行われる場合について述べる。透過表示が行われる場合には、液晶表示パネル３０は照明装置１０によって照明される。図３（ａ）は、透過表示が行われる場合における１つの表示画素ＡＧについての平面図を示す。図３（ａ）において、夫々ハッチングされた領域が、夫々の色のサブ画素ＳＧの領域を示している。図３（ａ）に示すように、透過表示が行われる場合には、Ｗのサブ画素ＳＧは、黒表示、即ち、光が透過しない非透過状態に設定される。
【００３２】
照明装置１０における複数のＬＥＤ１３より出光した白色光は、光源部１２より光Ｌとして、導光板１１の端面（以下、「入光端面」と称す）１１ｃに向けて出光する。光源部１２より出光した光Ｌは、導光板１１の入光端面１１ｃより導光板１１内へ入り、導光板１１の出光面１１ａ、反射面１１ｂで反射を繰り返すことにより方向を変え、導光板１１の出光面１１ａと光Ｌのなす角が臨界角を超えると、導光板１１の出光面１１ａから照明光Ｌｔとして図示しない光学シートを介して液晶表示パネル３０へ向けて夫々出光する。
【００３３】
液晶装置１００は、照明光Ｌｔが液晶表示パネル３０を透過することによって照明される。これにより、液晶装置１００は、文字、数字、図形等の画像を表示することができ、観測者が画像を視認することができる。なお、透過表示時において、Ｗのサブ画素ＳＧを非透過状態とする理由は、透過表示時において、Ｗのサブ画素ＳＧを光が透過する透過状態とすると、照明装置１０から出光された光Ｌｔは、Ｗのサブ画素ＳＧからも出光することとなり、表示画面に表示された画像が白んでしまい、当該画像の彩度・明度が低下してしまうからである。従って、透過表示時では、Ｗのサブ画素ＳＧを非透過状態、即ち、Ｗのサブ画素ＳＧにおいて、照明装置１０から出射された光を遮光して、当該照明装置１０から出射された光を液晶表示パネル３０に対して照明装置１０が配置された側とは反対側に透過させない状態とすることにより、表示画面における彩度・明度が低下するのを防ぐことができる。
【００３４】
次に、液晶装置１００において、反射表示が行われる場合について述べる。反射表示が行われる場合には、照明装置１０のＬＥＤ１３は点灯せず、液晶表示パネル３０は、外光によってのみ照明される。図３（ｂ）は、反射表示が行われる場合における１つの表示画素ＡＧについての平面図を示す。図３（ｂ）において、夫々ハッチングされた領域が、夫々の色のサブ画素ＳＧの領域を示している。図３（ｂ）に示すように、反射表示が行われる場合には、Ｗのサブ画素ＳＧは、白表示、即ち、光が透過する透過状態に設定される。従って、このとき、外光は、ＲＧＢの各サブ画素ＳＧに入射するだけでなく、外光Ｌｒに示すように、Ｗのサブ画素ＳＧにも入射する。
【００３５】
図２に示すように、Ｗのサブ画素ＳＧに入射した外光Ｌｒは、液晶表示パネル３０、導光板１１を透過した後、反射シート１４で反射される。反射シート１４で反射された外光Ｌｒは、再び、導光板１１を透過した後、液晶表示パネル３０へ向けて出光する。液晶装置１００は、反射表示時において、ＲＧＢの各サブ画素ＳＧに入射した外光を反射シート１４で反射して液晶表示パネル３０を照明するだけでなく、外光Ｌｒを反射シート１４で反射することによっても液晶表示パネル３０を照明する。これにより、液晶装置１００は、文字、数字、図形等の画像を表示することができ、観測者が画像を視認することができる。即ち、第１実施形態に係る液晶装置１００では、Ｗのサブ画素ＳＧは、反射表示のための採光窓として用いられる。このように、反射表示時では、Ｗのサブ画素ＳＧを透過状態、即ち、Ｗのサブ画素ＳＧに入射された外光が液晶表示パネル３０を透過した後に反射シート１４によって反射され、該光がＷ（透明または白色）以外の色のサブ画素ＳＧを透過して液晶表示パネル３０に対して照明装置１０が配置された側とは反対側に出射させる状態とすることにより、ＲＧＢの各サブ画素ＳＧに入射した外光のみを反射シート１４で反射して液晶表示パネル３０を照明する場合と比較して、表示画面の輝度向上を図ることができる。
【００３６】
なお、液晶装置１００としては、上述した実施形態のものには限られず、代わりに、ＲＧＢのサブ画素ＳＧ毎の画素電極３４上の一部の領域に光を反射する反射層が設けられた半透過反射型の液晶装置を用いることとしてもよい。この場合であっても、Ｗのサブ画素ＳＧを反射表示のための採光窓として用いることにより、反射表示時における表示画面の輝度向上を図ることができる。
【００３７】
（液晶装置の駆動方法）
次に、液晶装置の駆動方法について、図４に示すフローチャートを基に説明する。図４に示すフローチャートは、液晶装置の駆動方法の処理について示すフローチャートである。
【００３８】
液晶表示パネル３０のドライバＩＣ４０は、ＦＰＣ４１側からの信号に基づき、透過表示のモードとなっているか否かについて判定する（ステップＳ１１）。
【００３９】
ドライバＩＣ４０は、ステップＳ１１において、透過表示のモードとなっていると判定した場合には（ステップＳ１１：Ｙｅｓ）、ゲート信号及びソース信号をＷのサブ画素ＳＧの画素電極３４に供給することにより、Ｗのサブ画素ＳＧにおける液晶層の配向を制御して非透過状態にする（ステップＳ１２）。
【００４０】
ドライバＩＣ４０は、ステップＳ１１において、透過表示のモードとなっていない、即ち、反射表示のモードとなっていると判定した場合には（ステップＳ１１：Ｎｏ）、ゲート信号及びソース信号をＷのサブ画素ＳＧの画素電極３４に供給することにより、Ｗのサブ画素ＳＧにおける液晶層の配向を制御して透過状態にする（ステップＳ１３）。
【００４１】
以上に述べたように、第１実施形態に係る液晶装置１００では、液晶表示パネル３０は、反射表示時においてＷのサブ画素ＳＧを光が透過する透過状態にする。このようにすることで、反射表示時における表示画面の輝度向上を図ることができる。また、第１実施形態に係る液晶装置１００では、液晶表示パネル３０は、透過表示時においてＷのサブ画素ＳＧを光が透過しない非透過状態にする。このようにすることで、反射表示時における表示画面の輝度向上を図ることができると共に、透過表示時における表示画面の彩度・明度の低下を抑えることができる。また、第１実施形態に係る液晶装置１００では、透過表示時と反射表示時とで、即ち、照明装置１０のＬＥＤ１３の点灯時と非点灯時とに合わせて、Ｗのサブ画素ＳＧを透過状態又は非透過状態に切り替える制御を行うだけでよいので、ドライバＩＣ４０の制御回路又は制御プログラムの構造を簡単にすることができる。
【００４２】
[第２実施形態]
次に、本発明の第２実施形態について述べる。上述の第１実施形態に係る液晶装置１００では、液晶表示パネル３０は、透過表示時において、Ｗのサブ画素ＳＧを光が透過しない非透過状態にするとしているが、これに限られるものではなく、代わりに、液晶表示パネル３０は、透過表示時において、Ｗのサブ画素ＳＧの透過率を、輝度信号を基に設定するとしてもよい。
【００４３】
図５は、第２実施形態に係る液晶装置１００の模式図である。液晶装置１００において、入力されたＲＧＢの各色の画像信号がＲＧＢＷの各色の画像信号に変換される場合、液晶装置１００は、表示画像変換部６１２を備える。表示画像変換部６１２は、例えば、ドライバＩＣ４０内部に備えられた回路であり、パーソナルコンピュータなどの外部の表示画像出力源６１１より出力されたＲＧＢの各色の画像信号を、ＲＧＢＷの各色の画像信号に変換して、液晶表示パネル３０に出力する機能を有する。
【００４４】
表示画像変換部６１２は、ＣＰＵ（Central Processing Unit）などの演算処理部６１２ａと、ＲＡＭ（Random Access Memory）などの記憶部６１２ｂとを備えて構成されている。演算処理部６１２ａは、表示画像出力源６１１より出力された入力画像のＲＧＢの各色の画像信号６１Ｒ、６１Ｇ、６１Ｂを、ＲＧＢＷの各色の画像信号６２Ｒ、６２Ｇ、６２Ｂ、６２Ｗに変換する。なお、表示画像変換部６１２は、回路ではなく、代わりに、例えば、ドライバＩＣ４０におけるＣＰＵがプログラムを実行することによって実現されるとしてもよい。
【００４５】
具体的には、表示画像変換部６１２における演算処理部６１２ａが、入力されたＲＧＢの各色の画像信号より、輝度信号を算出し、当該輝度信号を基に決定されたＷの色の画像信号を液晶表示パネル３０へ出力する。以下に示す式（１）は、ＲＧＢの各色の強度より、輝度信号Ｙと色差信号Ｉ、Ｑを算出する一般的な式である。式（１）では、ＲＧＢの各色の強度を夫々、Ｒａ、Ｇａ、Ｂａとしている。具体的には、演算処理部６１２ａは、入力されたＲＧＢの各色の画像信号より、ＲＧＢの各色の強度を検出した後、検出されたＲＧＢの各色の強度より、式（１）の輝度信号Ｙを求める式を用いて、輝度信号Ｙを算出する。
【００４６】
【数１】
2008122834.tif 000003
演算処理部６１２ａは、算出された輝度信号Ｙを基に、Ｗの画像信号を決定し、決定されたＷの画像信号を液晶表示パネル３０へ出力する。このようにすることで、液晶表示パネル３０は、透過表示時において、Ｗのサブ画素ＳＧにおける液晶層の階調、即ち、Ｗのサブ画素ＳＧの透過率を入力画像に合わせて調整することができ、出力画像を入力画像に合わせた適切な輝度で表示することができる。
【００４７】
[変形例]
次に、各実施形態に係る液晶装置１００の変形例について述べる。本変形例は、具体的には、表示画素ＡＧにおけるサブ画素ＳＧの配列構成の変形例である。
【００４８】
図６（ｂ）〜（ｄ）は、表示画素ＡＧにおけるサブ画素ＳＧの配列構成の変形例を示す平面図である。夫々ハッチングされた領域が、夫々の色のサブ画素ＳＧの領域を示している。図６（ａ）は上述したサブ画素ＳＧの配列構成を示している。１つの表示画素ＡＧにおけるサブ画素ＳＧの配列構成としては、図６（ａ）に示す配列構成に限られるものではなく、代わりに、例えば、図６（ｂ）〜（ｄ）に示す配列構成とすることもできる。
【００４９】
図６（ｂ）に示す配列構成では、図に示すように、Ｗのサブ画素ＳＧは、Ｌ字型の形状をなしており、ＲＧＢの各色のサブ画素ＳＧに接する構成としている。図６（ｃ）に示す配列構成では、ＲＧＢＷの各色のサブ画素ＳＧを田の字型に配列する構成としている。また、図６（ｄ）に示す配列構成では、ＲＧＢＷの各色のサブ画素ＳＧをデルタ配列の構成としている。
【００５０】
[電子機器]
次に、上述した各実施形態に係る液晶装置１００を適用可能な電子機器の具体例について図７を参照して説明する。
【００５１】
まず、各実施形態に係る液晶装置１００を、可搬型のパーソナルコンピュータ（いわゆるノート型パソコン）の表示部に適用した例について説明する。図７（ａ）は、このパーソナルコンピュータの構成を示す斜視図である。同図に示すように、パーソナルコンピュータ７１０は、キーボード７１１を備えた本体部７１２と、本発明に係る液晶装置１００を適用した表示部７１３とを備えている。
【００５２】
続いて、各実施形態に係る液晶装置１００を、携帯電話機の表示部に適用した例について説明する。図７（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１００を適用した表示部７２４を備える。
【００５３】
なお、各実施形態に係る液晶装置１００を適用可能な電子機器としては、図７（ａ）に示したパーソナルコンピュータや図７（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００５４】
【図１】第１実施形態に係る液晶装置の平面図である。
【図２】第１実施形態に係る液晶装置の断面図である。
【図３】第１実施形態に係る透過表示時及び反射表示時における表示画素の平面図。
【図４】液晶装置の駆動方法を示すフローチャートである。
【図５】第２実施形態に係る液晶装置の模式図である。
【図６】各実施形態の液晶装置の変形例を示すサブ画素の平面図である。
【図７】各実施形態の液晶装置を適用した電子機器の例を示す図である。
【符号の説明】
【００５５】
１１  導光板、  １２  光源部、  １３  ＬＥＤ、  １４  反射シート、  １０  照明装置、  ３０  液晶表示パネル、  １００  液晶装置
【図１】
2008122834.tif 000004
【図２】
2008122834.tif 000005
【図３】
2008122834.tif 000006
【図４】
2008122834.tif 000007
【図５】
2008122834.tif 000008
【図６】
2008122834.tif 000009
【図７】
2008122834.tif 000010